(57)【特許請求の範囲】
【請求項１】
ロール状に巻回されている長尺帯状の隔離シートを間欠的に送り出す少なくとも２個一対の送りローラを備えた第１送り手段と、第１送り手段から送られてくる隔離シートを所定の長さにカットするカット手段と、カットされた隔離シートを垂直に立てた状態で移送可能に保持するガイド手段と、ガイド手段に保持されている隔離シートを間欠的に送り出しその末端を保持する少なくとも２個一対の送り小ローラを備えた第２送り手段と、２個の寿司にて第２送り手段にて保持されている隔離シートをその両側面から挾持する搬送手段とを具備した隔離シートの供給機構において、
前記ガイド手段は、隔離シートの進行方向に沿ってガイド溝を形成すると共に、ガイド溝の対向壁面上方に、折込み突起と、これが近接嵌合する嵌合凹部とからなる隔離シートの横折れ機構を備えており、前記ガイド溝を移送中の隔離シートが前記横折れ機構に当接し、その折込み突起と嵌合凹部によって横折れされて移行するように構成されていることを特徴とするツイン寿司パック用の隔離シート供給機構。
【発明の詳細な説明】
【０００１】
【発明の属する技術分野】
本発明は、ツイン寿司パック用の隔離シート供給機構に関する。
【０００２】
【従来の技術】
本出願人は既に、台板に２個の寿司をその間にバラン様のプラスチック製の隔離シートを介在させた状態で並列載置し、全体を透明プラスチックフイルムで密封包装したツイン寿司パック用の隔離シート供給機構を提案している。
【０００３】
この隔離シート供給機構は、ロール状に巻回されている長尺帯状の隔離シートを間欠的に送り出す少なくとも２個一対の送りローラを備えた第１送り手段と、第１送り手段から送られてくる隔離シートを所定の長さにカットするカット手段と、カットされた隔離シートを垂直に立てた状態で保持移送するガイド手段と、ガイド手段に保持されている隔離シートを間欠的に送り出しその末端を保持する少なくとも２個一対の送り小ローラを備えた第２送り手段と、搬送機構上の２個の寿司を一個々々持ち上げ互いに接触させることで、当該２個の対向側面にて第２送り手段で末端を保持されている隔離シートを挾持する搬送手段を具備して構成されている。
【０００４】
図４は、上記したガイド手段ａと第２送り手段ｂの使用状態を示す平面図であり、ガイド手段ａは、中央縦方向にロール状に巻回された隔離シートｃのガイド溝ｄを有するガイドブロックｅから成り、一方第２送り手段ｂは、所定の長さにカットされた隔離シートｃ′の末端を保持移送する送り小ローラｆ、ｆから成る。
【０００５】
【発明が解決しようとする課題】
ところで、上記した従来の隔離シート供給機構にあっては、ロール状に巻回されたプラスチック製のシートｃを所定の長さにカットした隔離シートｃ′を使用するため、当該隔離シートｃ′には図４に示した如く所謂カールぐせが付いており、かゝる隔離シートｃ′の末端を上記第２送り手段ｂの２個の小ローラｆ、ｆにて垂直に保持させたときに、隔離シートｃ′が左右のどちらかにカーブしていることが多い。従って、この隔離シートｃ′を、上記した搬送機構によって２個の寿司の側面を互いに接触させることで挾持させる際、常に２この寿司の一定部位に隔離シートｃ′を位置させることが難しかった。隔離シートｃ′の曲がりが大きいときは、当該隔離シートｃ′が２個の寿司の間に折り畳まれて挾持されてしまうことがあった。
【０００６】
【目的】
本発明は、上記した従来の技術の有するこのような問題点に鑑みなされたもので、隔離シート用のガイド手段に横折れ機構を設けることで、隔離シートの左右方向への曲がりを矯正して２個の小ローラにて略直線状態で保持しえるように構成することにより、当該隔離シートを常に２個の寿司の間の定位置に挾持することができるようにしたツイン寿司パック用の隔離シート供給機構を提供することを目的とする。
【０００７】
【課題を解決するための手段】
上記目的を達成するために、本発明に係るツイン寿司パック用の隔離シート供給機構は、ロール状に巻回されている長尺帯状の隔離シートを間欠的に送り出す少なくとも２個一対の送りローラを備えた第１送り手段と、第１送り手段から送られてくる隔離シートを所定の長さにカットするカット手段と、カットされた隔離シートを垂直に立てた状態で移送可能に保持するガイド手段と、ガイド手段に保持されている隔離シートを間欠的に送り出しその末端を保持する少なくとも２個一対の送り小ローラを備えた第２送り手段と、２個の寿司にて第２送り手段にて保持されている隔離シートをその両側面から挾持する搬送手段とを具備した隔離シートの供給機構において、
前記ガイド手段は、隔離シートの進行方向に沿ってガイド溝を形成すると共に、ガイド溝の対向壁面上方に、折込み突起と、これが近接嵌合する嵌合凹部とからなる隔離シートの横折れ機構を備えており、前記ガイド溝を移送中の隔離シートが前記横折れ機構に当接し、その折込み突起と嵌合凹部によって横折れされて移行するように構成されていることを特徴とする。
【０００８】
【発明の実施の形態】
以下、本発明の実施の形態を図面に基づいて説明する。
図１は本発明に係るツイン寿司パック用の隔離シート供給機構において隔離シートを２個の寿司で挾持する前の状態を示す全体の斜視図であり、図２は同上におけるガイド手段の拡大した断面図であり、図３はツイン寿司パックの斜視図である。
【０００９】
本発明ツイン寿司パック用の隔離シート供給機構Ａは、隔離シート６を間欠的に送り出す第１送り手段１と、隔離シート６の所定の長さにカットするカット手段２と、カットされた隔離シート６ａを垂直に立てた状態で移送可能に保持するガイド手段３と、隔離シート６ａをガイド手段３から送り出しその末端を保持する第２送り手段４と、２個の寿司Ｍ、Ｍを各々持ち上げ互いに接触させることにより隔離シート６ａを挾持する搬送手段５、５とを主要構成要素としている。
【００１０】
第１送り手段１は図１に示したように、ロール状に巻回されている長尺帯状の隔離シート６を図中矢印方向に送り出す２個一対の送りローラ７、７を備え、これら送りローラ７、７は隔離シート６の両側に垂直状態で互いに図中矢印に示す反対方向へ回動自在に軸支されている。
８は互いに噛み合う送りローラ７、７駆動用のギヤ、９は巻きロールから送られてくる隔離シート６のガイドローラを各示す。
【００１１】
カット手段２は図示したように、隔離シート６を所定の長さ（寿司の長さより僅かに長目）にカットする左右に開閉自在な鋏み１０を備え、該鋏み１０はその先端刃部１０ａ、１０ａが隔離シート６の両側に垂直状態に配置されるよう保持されている。そして、鋏み１０の基端には当該鋏み１０の先端刃部１０ａ、１０ａを開き方向に付勢するバネ１１を介設させ、図示しない作動機構によりバネ１１の付勢力に抗して鋏み１０の基端を互いに押圧し接近させることにより先端刃部１０ａ、１０ａを交合させてロール状の隔離シート６を所定の長さの隔離シート６ａに摺り切りする。
【００１２】
ガイド手段３は図１および図２に示したように、隔離シート６ａの進行方向の中央に細幅のガイド溝１２を縦設した略直方体形状のガイドブロック１３と、先端１４ａをガイドブロック１３より突出させた状態で当該ガイドブロック１３を載設する底板１４と、ガイドブロック１３のガイド溝１２と対応するガイド溝１５を有し、該ガイド溝１５の対向壁面に、折込み突起１６と、これが近接嵌合する嵌合凹部１７とからなる隔離シート６ａの横折れ機構１８を設けた上板１９とから構成されている。
【００１３】
上記したガイドブロック１３は、２個一対のブロック片１３ａ、１３ａを備え、両ブロック片１３ａ、１３ａを底板１４上面に所定の間隔を置いて対向配設することで各ブロック片１３ａ、１３ａと同じ高さのガイド溝１２が形成されるが、上記ガイドブロック１３のガイド溝１２および上板１９のガイド溝１５に各挾入された隔離シート６ａは図２に示したように、略中央近辺でガイドブロック１３の横折れ機構１８に当接し、略くの字形状に横折れされて移行するように両ガイド溝１２、１５の高さを調整する。つまり、隔離シート６ａはその折れ線を堺に上辺部の長さｌと下辺部の長さｌ′が略同長となるように設定されるのが望ましい。
【００１４】
上記ガイド溝１２、１５の後端には、略Ｖ字状とした隔離シート６ａの受入口２０が形成してある。また、上記ガイド手段３を構成するガイドブロック１３、底板１４および上板１９は全て硬質プラスチック材にて成形されているが、これらを同材にて一体に成形することもできる。
【００１５】
第２送り手段４は図１に示したように、ガイド手段３におけるガイド溝１２、１５に挾入されている隔離シート６ａを当該ガイド溝１２、１５から送り出し保持する２個一対の送り小ローラ２１、２１を備えている。即ち、これら送り小ローラ２１、２１は、ガイド手段３における底板１４の先端１４ａの左右両側に垂直状態で互いに図中矢印で示す反対方向へ回動自在に軸支され、隔離シート６ａの後端が送り小ローラ２１、２１と底板１４の先端１４ａによって図示のように垂直状態で突出保持されるようになっている。
【００１６】
上記送り小ローラ２１、２１の軸（図示しない）の下端には、各送り小ローラ２１、２１の駆動用のギヤ２２が固着され、上記した第１送り手段１のギヤ８と共に、図示しない駆動機構に連動連結され、各々所要の方向へ回動する。
【００１７】
搬送手段５、５は図１に示したように、寿司成形機の搬送コンベア２３と、本発明隔離シートの供給機構Ａと、包装機のターンテーブル２４との間を各移動可能に設けられた２個の駆動機構２５、２５と、その前後部分の作動アーム２６、２６とを具備して構成される。
なお、各作動アーム２６、２６の先端は寿司Ｍを挾持し易いように各内向きに折曲させてある。
【００１８】
次に、上記の構成における隔離シート６の供給方法について説明する。
先ず、ロール状に巻かれた隔離シート６を第１送り手段の送りローラ７、７の間欠回転により間欠的に繰り出し、隔離シート６の先端側をガイド手段３のガイド溝１２、１５に挾入させた状態でカット手段２の鋏み１０の刃部１０ａ、１０ａを交合させることにより当該隔離シート６を所定の長さにカットする。
【００１９】
こうしてカットされた隔離シート６ａは、第２送り手段４の送り小ローラ２１、２１の間欠回転によりガイド溝１２、１５から間欠的に繰り出されるが、その際、図２に示したようにガイド溝１２の対向壁面に設けられた横折れ機構１８の折込み突起１６と嵌合凹部１７とによって略くの字形状に折り込まれる。このことによって、ロール状に巻かれていたことにより所謂カールぐせが付いている隔離シート６ａの曲がりが矯正されて略直線状に変形され、その末端が送り小ローラ２１、２１と底板１４の先端１４ａによって垂直状態で突出保持される。
【００２０】
次いで、搬送手段５、５の両駆動機構２５、２５を寿司成形機の搬送コンベア２３の上面へ移動させ、開状態の各作動アーム２６、２６を閉じることで寿司Ｍ、Ｍの前後部を挾持した後、互いに寿司Ｍ、Ｍの対向側面を接触させることにより隔離シート６ａを寿司Ｍ、Ｍで挾持する。この際、寿司Ｍ、Ｍを接触させる直前に送り小ローラ２１、２１を少し回動させると、隔離シート６ａは寿司Ｍ、Ｍの長さ方向の前後に摺れなく挾持できる。
【００２１】
次いで、駆動機構２５、２５を図１に示す包装機のターンテーブル２４へ移動させ、隔離シート６ａを挾持した寿司Ｍ、Ｍを、上記ターンテーブル２４の所定箇所にセットした台板２７の上面へ載置したのち、透明な包装用プラスチックフイルム２８にて密封包装することで、図３に示すツイン寿司パックＰが成形される。
【００２２】
因みに、上記した隔離シート６としては、表面にバラン模様を印刷したプラスチックシートが好適であるが、その他の印刷模様を施したものでも良い。
【００２３】
【発明の効果】
以上のとおり、本発明は、ロール状に巻回されている長尺帯状の隔離シートを所定の長さにカットし、このカットした隔離シートをガイド手段におけるガイド溝に沿って移送する際、その対向壁面に設けられた折込み突起と、嵌合凹部とからなる横折れ機構にて中央部近辺が略くの字形状に折り込まれることで、カールぐせの付いている隔離シートの曲がりが矯正されて略直線状に変形されるようにしたものであるから、隔離シートの両側面から２個の寿司を押圧させることで両寿司の間に隔離シートを介在させる際、常に２個の寿司の一定部位に隔離シートを配設したことが可能となり、以って、商品寿司の品質と生産性の向上に寄与すること大である。
【図面の簡単な説明】
【図１】本発明に係るツイン寿司パック用の隔離シート供給機構における２個の寿司で挾持する前の状態を示す全体斜視図である。
【図２】同上におけるガイド手段の使用状態を示す拡大断面図である。
【図３】ツイン寿司パックの斜視図である。
【図４】従来のガイド手段の使用状態を示す平面図である。
【符号の説明】
１  第１送り手段
２  カット手段
３  ガイド手段
４  第２送り手段
５  搬送手段
６  隔離シート
１２  ガイド溝
１３  ガイドブロック
１５  ガイド溝
１６  折込み突起
１７  嵌合凹部
１８  横折れ機構
【図１】
0004087497.tif 000002
【図２】
0004087497.tif 000003
【図３】
0004087497.tif 000004
【図４】
0004087497.tif 000005